(57)【特許請求の範囲】
【請求項１】
被検体に挿入され、内部に他の挿入装置を挿通可能な挿入部と、
前記挿入部の先端部に着脱自在に配置される先端カバーと、
前記先端カバーに設けられ、前記他の挿入装置の進行方向を変更させるための起上部材と、
前記先端カバーに設けられ、前記起上部材を前記先端カバーに対して回動可能に支持する軸部材と、
前記先端部に設けられ、前記先端部に前記先端カバーが装着された際に、前記軸部材を支持するために前記軸部材に当接する支持部と、を具備することを特徴とする挿入装置。
【請求項２】
前記支持部は、前記軸部材の所定の方向側に当接する当接面を有することを特徴とする請求項１に記載の挿入装置。
【請求項３】
前記当接面は、前記起上部材が起上方向に回転したとき前記軸部材に作用する応力を受ける方向に設けられていることを特徴とする請求項２に記載の挿入装置。
【請求項４】
前記先端カバーは、前記先端カバーを前記挿入部の前記先端部から取り外す際に破壊可能な脆弱部を有し、
前記軸部材は、前記脆弱部が破壊された際に前記支持部の前記当接面から離間する方向に移動可能であることを特徴とする請求項２に記載の挿入装置。
【請求項５】
前記支持部は、前記軸部材が前記所定の方向とは反対側に離間することが可能となるように切りかかれて形成されていることを特徴とする請求項４に記載の挿入装置。
【請求項６】
挿入装置の挿入部の先端部に装着されるカバー本体と、
前記カバー本体に配設され、前記挿入部内に挿通される他の挿入装置の進行方向を変更させるための起上部材と、
前記カバー本体に配設され、前記起上部材を前記カバー本体に対して回動可能に支持する軸部材と、
を具備し、
前記軸部材は前記挿入装置の前記挿入部の前記先端部に設けられた軸受に支持されることを特徴とする挿入装置の先端カバー。
【発明の詳細な説明】
【技術分野】
【０００１】
本発明は、処置具を起上させるための起上部材を備えた先端カバーが、挿入機器に着脱自在に装着される挿入装置、及び、前記挿入装置の先端カバーに関する。
【背景技術】
【０００２】  従来、医療分野においては、細長の挿入部を体腔内に挿入することにより、体腔内から臓器などを観察することができる挿入装置としての内視鏡が広く用いられている。この種の内視鏡では、操作部に設けられた処置具挿通口から挿通した処置具を、挿入部の先端部から突出させることにより、体腔内における各種処置を行うことが可能となっている。【０００３】  このような処置具を用いた処置では、体腔内に突出する処置具の先端を手元側の操作によって所望の方向に変化させるための起上台が広く用いられている。【０００４】  ここで、内視鏡の洗浄を容易なものとするため、近年、この種の起上台を、内視鏡の先端部に着脱自在な先端カバーに設けた構成が提案されている。【０００５】  例えば、日本国特開平６−３１５４５８号公報には、先端部に対して着脱自在な先端着脱部（先端カバー）のスロープ部本体に対し、所定の角度範囲内で回転可能となるよう、起上軸（支軸）を介して起上台を設けた技術が開示されている。【０００６】  しかしながら、先端部に着脱自在な先端カバーは、一般に、絶縁性を有する樹脂等によって構成されるものである。従って、上述の日本国特開平６−３１５４５８号公報に開示された技術のように、先端カバーに支軸を介して起上台を支持する構成では、太径の処置具等の起上にも十分対応可能な支持剛性を確保することが困難となる虞がある。【０００７】  これに対し、先端カバーの肉厚を厚くする等の対策を行うと、先端部の太径化を招く虞がある。【０００８】  本発明は上記事情に鑑みてなされたもので、先端部を太径化することなく、十分な支持剛性にて起上台を支持することができる挿入装置を提供することを目的とする。
【発明の開示】
【課題を解決するための手段】
【０００９】
本発明の一態様による挿入装置は、被検体に挿入され、内部に他の挿入装置を挿通可能な挿入部と、前記挿入部の先端部に着脱自在に配置される先端カバーと、前記先端カバーに設けられ、前記他の挿入装置の進行方向を変更させるための起上部材と、前記先端カバーに設けられ、前記起上部材を前記先端カバーに対して回動可能に支持する軸部材と、前記先端部に設けられ、前記先端部に前記先端カバーが装着された際に、前記軸部材を支持するために前記軸部材に当接する支持部と、を具備するものである。
また、本発明の一態様による挿入装置の先端カバーは、挿入装置の挿入部の先端部に装着されるカバー本体と、前記カバー本体に配設され、前記挿入部内に挿通される他の挿入装置の進行方向を変更させるための起上部材と、前記カバー本体に配設され、前記起上部材を前記カバー本体に対して回動可能に支持する軸部材と、を具備し、前記軸部材は前記挿入装置の前記挿入部の前記先端部に設けられた軸受に支持されるものである。
【図面の簡単な説明】
【００１０】
【図１】本発明の第１の実施形態に係り、内視鏡装置の構成を示す側面図
【図２】同上、内視鏡から先端カバー装置を取り外した状態を示す側面図
【図３】同上、先端部に装着される前の先端カバーを示す斜視図
【図４】同上、先端部に装着された先端カバーを示す斜視図
【図５】同上、先端部及び先端カバーの断面図
【図６】同上、主として先端カバー本体とガイドシースとの接続部を示す断面図
【図７】同上、先端カバー本体の平面図
【図８】同上、先端部から先端カバーを取り外す際の状態を示す斜視図
【図９】同上、先端部に先端カバーを装着する前の軸部と軸受部との関係を示す斜視図
【図１０】同上、先端部に先端カバーを装着したときの軸部と先端部側軸受部との関係を示す斜視図
【図１１】同上、先端カバーの要部を示す縦断面図
【図１２】同上、軸部とカバー側軸受部との関係を示す斜視図
【図１３】同上、図１１のXIII−XIII断面図
【図１４】第１の変形例に係り、先端部及び先端カバーの要部断面図
【図１５】第２の変形例に係り、先端部に装着される前の先端カバーを示す斜視図
【図１６】第３の変形例に係り、先端部に装着される前の先端カバーを示す斜視図
【図１７】第４の変形例に係り、先端部に装着される前の先端カバーを示す斜視図
【図１８】同上、先端部に装着された先端カバーを示す斜視図
【図１９】本発明の第２の実施形態に係り、先端部に装着される前の先端カバーを示す斜視図
【図２０】同上、先端部に装着された先端カバーを示す斜視図
【図２１】同上、先端部に先端カバーを装着したときの軸部と先端部側軸受部との関係を示す斜視図
【図２２】本発明の第３の実施形態に係り、先端カバー及び先端部の要部を示す分解斜視図
【図２３】同上、起上台の斜視図
【図２４】同上、起上台と駆動軸との関係を示す斜視図
【図２５】同上、先端部の要部断面図
【図２６】同上、先端カバーが装着された先端部の要部断面図
【発明を実施するための最良の形態】
【００１１】  以下、図１乃至図１３を参照して本発明の第１の実施形態を説明する。【００１２】  図１，２に示すように、本実施形態の内視鏡装置１は、内視鏡２と、内視鏡２に着脱自在に装着される先端カバー装置３と、を備えて構成されている。【００１３】  内視鏡２は、挿入部５と、操作部６と、ユニバーサルケーブル７と、を有している。挿入部５は、細長な長尺部材であり、先端部８と、湾曲部９と、可撓管部１０と、を先端側から順に連設して構成されている。【００１４】  先端部８は、ステンレス等の金属によって形成された先端構成部１５を有する。この先端構成部１５は、ベース部１６と、このベース部１６の先端から挿入軸Ｏ方向に突出する観察用突起部１７と、を有する。なお、先端構成部１５の基端側の外周には、絶縁性を有するリング状の絶縁部材２０が設けられ、さらに、この絶縁部材２０よりも基端には、先端が糸巻接着部２１ａによって先端構成部１５に固定された外皮２１が連設されている。【００１５】  例えば、図３に示すように、ベース部１６は、その概略形状が、円柱の略半分を切欠いた形状（すなわち、略半円柱形状）となるように形成されている。これにより、ベース部１６は、外周に、円弧面部１６ａと、平面部１６ｂと、を有する。【００１６】  また、観察用突起部１７は、その概略形状が、ベース部１６と同軸上に配置した円柱の略四分の三を切欠いた形状（すなわち、略四半円柱形状）となるように形成されている。これにより、観察用突起部１７は、外周に、円弧面部１７ａと、ベース部１６の平面部１６ｂに例えば平行な第１の平面部１７ｂと、第１の平面部１７ｂに例えば直交する第２の平面部１７ｃと、を有する。【００１７】  ベース部１６の端面には、観察用突起部１７の第２の平面部１７ｃに隣接する位置に、処置具突出口２５が設けられている。図５に示すように、先端構成部１５の基端側において、処置具突出口２５には連結パイプ２６が連結され、さらに、連結パイプ２６には、挿入部５内に挿通された処置具チャンネル２７の先端側が連結されている。【００１８】  また、ベース部１６の円弧面部１６ａには、挿入軸Ｏに直交する方向に突出する係止ピン２８が設けられている。【００１９】  さらに、ベース部１６には、観察用突起部１７に形成された第１の平面部１７ｂに向けて送気或いは送水を行うためのノズル２９が突設されている。【００２０】  観察用突起部１７の円弧面部１７ａには、挿入軸Ｏに沿って延在するキー溝３１が設けられている。【００２１】  また、観察用突起部１７の第１の平面部１７ｂには、図示しない撮像ユニットの観察窓３２と、図示しない照明ユニットの照明窓３３と、が設けられている。そして、このように観察窓３２が配置されることにより、本実施形態の内視鏡２は、挿入軸Ｏに交差する方向に観察視野を有する所謂側視型の内視鏡となっている。【００２２】  湾曲部９は、例えば、挿入軸Ｏに直交する４方向（上下左右方向）に湾曲自在に構成されている。可撓管部１０は、長尺で可撓性を有する管状部材である。なお、ここでの上下方向及び左右方向とは、挿入部５に対して便宜的に定義されるものであり、例えば、観察窓３２が設けられた方向を基準（上方向）として各々の方向が定義されている。【００２３】  操作部６は、可撓管部１０の基端に連設されている。この操作部６の中途は、術者等が把持するための把持部３５が設定されている。【００２４】  この把持部３５よりも先端側において、操作部６には、処置具挿通口３６が設けられている。この処置具挿通口３６は、操作部６の内部において処置具チャンネル２７の基端側に連結されている。これにより、例えば、図１に示すように、処置具挿通口３６に挿入された他の挿入装置としての処置具４０を先端部８の処置具突出口２５から突出させることが可能となっている。【００２５】  また、把持部３５よりも基端側において、操作部６には、例えば、湾曲部９を湾曲動作させるためのアングルノブ３７と、先端部８に設けられたノズル２９からの送気または送水を行わせるための送気送水ボタン３８と、被検体内の吸引対象物を処置具突出口２５から吸引させるための吸引ボタン３９と、が設けられている。【００２６】  ユニバーサルケーブル７は、操作部６の基端側側面より延出されている。ユニバーサルケーブル７の端部には光源装置（図示せず）に接続される内視鏡コネクタ４５が設けられている。この内視鏡コネクタ４５は、側部から信号伝達ケーブル４６が延設されている。信号伝達ケーブル４６の他端側には、ビデオプロセッサ（図示せず）に接続される電気コネクタ４７が設けられている。【００２７】  図３，４に示すように、先端カバー装置３は、先端部８に着脱自在に装着される先端カバー５０と、先端カバー５０の内部に設けられた動作部材（起上部材）としての起上台５１と、起上台５１を手元側から操作するためのワイヤ機構部５２と、を有して構成されている。【００２８】  先端カバー５０は、第１のカバーとしての先端カバー本体５５と、第２のカバーとしてのリングカバー５６と、を有して構成されている。【００２９】  先端カバー本体５５は、プラスチック等の硬質且つ絶縁性を有する材料によって形成されている。この先端カバー本体５５は、先端が半球状に閉塞された略円筒形状をなし、主として先端構成部１５を覆うように、先端部８の外周に対して着脱自在に固定することが可能となっている。【００３０】  この先端カバー本体５５には、観察窓３２及び照明窓３３を露出するとともに、処置具突出口２５から突出された処置具４０を導出するための開口部６０が設けられている。【００３１】  また、先端カバー本体５５には、開口部６０の一側に、後述するワイヤ機構部５２を構成するガイドシース７５の先端を接続するための固定部としてのシース接続部６１が突設されている。【００３２】  また、先端カバー本体５５には、開口部６０及びシース接続部６１の一側であって、且つ、先端カバー本体５５の基端側に、係止片６２が形成されている。係止片６２は先端カバー本体５５の外径方向に弾性変形することが可能であり、この係止片６２には、先端構成部１５のベース部１６から突出する係止ピン２８に係止可能な係止部としての係止孔６２ａが設けられている。【００３３】  また、図７に示すように、先端カバー本体５５には、シース接続部６１の他側であって、且つ、開口部６０の基端側に、スリット６３ａが設けられている。そして、このスリット６３ａにより、先端カバー本��５５には、当該先端カバー本体５５を拡開径方向に破壊することが可能な脆弱部６３が設定されている。【００３４】  さらに、先端カバー本体５５の内側には、キー溝３１に嵌合するキー６４が設けられている。そして、このキー６４がキー溝３１に嵌合することにより、先端カバー本体５５を先端構成部１５に対して適切な位置に位置決めすることが可能となっている。【００３５】  リングカバー５６は、例えば、シリコーンゴム等の弾性且つ絶縁性を有する材料により、先端部８の絶縁部材２０及び先端カバー本体５５の外径よりも小径なリング状の部材に形成されている。【００３６】  このリングカバー５６は、拡径方向に弾性変形させることにより、絶縁部材２０が設けられた先端部８の基端側領域と、先端カバー本体５５の基端側領域と、を一体的に被覆する位置に配置することが可能となっている。そして、リングカバー５６は、その弾性による復元力により、先端部８（絶縁部材２０）及び先端カバー本体５５の外周に対して全周に渡って密着させることが可能となっている。【００３７】  なお、本実施形態のリングカバー５６は、シース接続部６１との干渉を防止するための孔部５６ａ及びブリッジ部５６ｂが設けられている。【００３８】  例えば、図５に示すように、起上台５１は、側面視形状が略三角形をなす金属製の部材によって構成されている。【００３９】  この起上台５１の上面には、基端側から先端側に向けて所定の仰角を有して傾斜するガイド溝５１ａが設けられている。【００４０】  また、起上台５１の先端側の側部には、後述するワイヤ機構部５２の操作ワイヤ７６と接続するためのワイヤ接続部５１ｂが設けられている。【００４１】  さらに、起上台５１の基端部には軸挿通孔５１ｃが設けられ、この軸挿通孔５１ｃには連結部材（軸部材）としての軸部７０が挿通されている。そして、この軸部７０が先端カバー本体５５に支持されることにより、起上台５１は先端カバー本体５５に対して揺動可能（変位可能）に連結されている。【００４２】  具体的に説明すると、例えば、図１３に示すように、先端カバー本体５５の一側には、当該先端カバー本体５５の内外に貫通するケース側軸受孔７１が設けられている。【００４３】  また、先端カバー本体５５の内部にはケース側軸受用突起７２が設けられ、このケース側軸受用突起７２には、ケース側軸受孔７１と同軸なケース側軸受部７２ａが設けられている。【００４４】  ここで、図１１，１２に示すように、本実施形態のケース側軸受部７２ａは、ケース側軸受用突起７２の上側の一部を切欠くことによって形成された部分円弧面によって構成されている。【００４５】  そして、ケース側軸受孔７１に軸部７０が挿通によって支持されるとともに、ケース側軸受部７２ａに軸部７０が当接によって支持されることにより、起上台５１は、先端カバー本体５５の内部において揺動可能に軸支されている。なお、例えば、図１３に示すように、軸部７０が挿通された後のケース側軸受孔７１は、接着剤等の充填剤７４によって封止されている。【００４６】  さらに、先端カバー本体５５の内部には、起上台５１の基端側をケース側軸受用突起７２との間に挟み込むことにより、軸部７０の軸心方向に起上台５１が移動することを規制するための規制用突起７３が設けられている。【００４７】  ここで、ケース側軸受用突起７２及び規制用突起７３は、先端カバー本体５５が先端部８に装着された際に、先端構成部１５の観察用突起部１７の一側に偏倚する位置に設けられている。【００４８】  これにより、先端部８に先端カバー本体５５が装着された際に、先端カバー本体５５の内壁と観察用突起部１７の第２の平面部１７ｃとの間に形成された空間内に起上台５１が配置されるとともに、この起上台５１のガイド溝５１ａが処置具突出口２５に対向される。【００４９】  また、例えば、図９，１３に示すように、先端部８の観察用突起部１７に形成された第２の平面部１７ｃには、ケース側軸受用突起７２を収容可能なスライド溝１８が形成されている。このスライド溝１８は、例えば、第２の平面部１７ｃの下側の部分が挿入軸Ｏ方向に沿って切欠かれることにより形成されている。そして、スライド溝１８の終端（基端）には、ケース側軸受部７２ａに対向する部分円弧状の当接面を備えた軸受部（支持部）としての第１の先端部側軸受部１８ａが形成されている。【００５０】  これらケース側軸受部７２ａと第１の先端部側軸受部１８ａとは、先端部８に先端カバー本体５５が装着された際に、全体として一つの軸受孔を形成する位置に設けられている。そして、第１の先端部側軸受部１８ａは、軸部７０の外周面のうち、起上台５１が起上する方向に対応した部分（すなわち、例えば、主として後述する操作ワイヤ７６によって起上台５１が牽引される方向に対応する部分（本実施形態においては、概ね軸部７０の上側の部分））に当接され、当該軸部７０を支持することが可能となっている。【００５１】  換言すれば、第１の先端部側軸受部１８ａは、起上台５１が起上する方向（すなわち、処置具等の進行方向をより大きく変更する方向）に回転動作したとき、軸部７０が起上台５１から受ける応力の方向に対応して設定されている。さらに換言すれば、第１の先端部側軸受部１８ａは、例えば、軸部７０の外周面の処置具突出口２５に近接する部分が当接可能な位置に設けられている。【００５２】  また、第１の先端部側軸受部１８ａの当接面は、第２の平面部１７ｃの一部を切欠くことによって形成された部分円弧状の面であるため（すなわち、下方が開放された部分円弧状の面であるため）、先端カバー本体５５を拡径方向に破壊する際には、軸部７０を第１の先端部側軸受部１８ａから離間する方向に移動させることが可能となっている。【００５３】  さらに、例えば、図５，９，１０に示すように、先端構成部１５のベース部１６の端面には、先端部側軸受用突起１９が設けられ、この先端部側軸受用突起１９には、第１の先端部側軸受部１８ａと同軸な軸受部（支持部）としての第２の先端部側軸受部１９ａが設けられている。【００５４】  ここで、本実施形態の第２の先端部側軸受部１９ａは、先端部側軸受用突起１９の下側の一部を切欠くことによって形成された部分円弧状の当接面を備えて構成されている。【００５５】  これにより、第２の先端部側軸受部１９ａは、先端部８に先端カバー本体５５が装着された際に、軸部７０の外周面のうち、起上台５１が起上する方向に対応した部分（すなわち、例えば、主として後述する操作ワイヤ７６によって起上台５１が牽引される方向に対応する部分（本実施形態においては、概ね軸部７０の上側の部分））に当接され、当該軸部７０を支持することが可能となっている。【００５６】  換言すれば、第２の先端部側軸受部１９ａは、起上台５１が起上する方向（すなわち、処置具等の進行方向をより大きく変更する方向）に回転動作したとき、軸部７０が起上台５１から受ける応力の方向に対応して設定されている。さらに換言すれば、第１の先端部側軸受部１８ａは、例えば、軸部７０の外周面の処置具突出口２５に近接する部分が当接可能な位置に設けられている。【００５７】  また、第２の先端部側軸受部１９ａの当接面は、先端部側軸受用突起１９の一部を切欠くことによって形成された部分円弧状の面であるため（すなわち、下方が開放された部分円弧状の面であるため）、先端カバー本体５５を拡径方向に破壊する際には、軸部７０を第２の先端部側軸受部１９ａから離間する方向に移動させることが可能となっている。【００５８】  例えば、図３，４に示すように、ワイヤ機構部５２は、ガイドシース７５と、このガイドシース７５に挿通された牽引部材としての操作ワイヤ７６と、を有して構成されている。【００５９】  図６に示すように、ガイドシース７５は、可撓性を有するコイル７５ａと、このコイル７５ａの外周を被覆する外皮７５ｂと、を有して構成されている。【００６０】  ガイドシース７５の先端には先端口金７７が接続され、この先端口金７７がシース接続部６１に嵌合されることにより、ガイドシース７５は先端カバー本体５５に接続されている。【００６１】  これにより、ガイドシース７５に挿通された操作ワイヤ７６が先端カバー本体５５の内部に導入され、この操作ワイヤ７６の先端が、起上台５１に設けられたワイヤ接続部５１ｂに接続されている。【００６２】  一方、ガイドシース７５の基端には、ワイヤシャフト７９を進退移動自在に支持するシリンダ部７８が接続されている。このワイヤシャフト７９の先端には、操作ワイヤ７６の基端が接続されている。また、ワイヤシャフト７９の基端側には、例えば、リング状をなす動作部材操作部としての起上台操作部材７９ａが連設されている。【００６３】  そして、この起上台操作部材７９ａに対する操作を通じてワイヤシャフト７９を進退移動させることにより、起上台５１は、起上位置と倒置位置との間で変位することが可能となっている。【００６４】  このような実施形態によれば、先端部８（先端構成部１５）に第１，第２の先端部側軸受部１８ａ，１９ａを設け、先端カバー本体５５が先端部８に装着された際に、起上台５１を先端カバー本体５５（先端カバー５０）に対して回動可能に支持する軸部７０を、第１，第２の先端部側軸受部１８ａ，１９ａによって支持することにより、先端部８を太径化することなく、十分な支持剛性にて起上台５１を支持することができる。【００６５】  すなわち、先端部８に先端カバー本体５５が装着された際には、硬質な金属からなる先端構成部１５に設けた第１，第２の先端部側軸受部１８ａ，１９ａによって軸部７０を支持することにより、先端カバー本体５５に起上台５１を設けた場合にも、先端カバー本体５５の肉厚を���く形成する等の対策を行うことなく、十分な支持剛性にて起上台５１を支持することができる。【００６６】  特に、軸部７０から見て第１，第２の先端部側軸受部１８ａ，１９ａが配置される方向は、起上台５１を起上させる際に、操作ワイヤ７６によって起上台５１が牽引される方向（処置具突出口２５に近接する方向）である。従って、当該方向には、起上台５１が起上方向に回転されて処置具等の進行方向がより大きく変更される際に（起上台５１が倒置方向に回動する場合に比べ）軸部７０に大きな応力が作用する。本実施形態の第１，第２の先端部側軸受部１８ａ，１９ａは、このように大きな応力が作用する方向において、軸部７０を支持することにより、先端カバー本体５５に起上台５１を設けた場合にも、十分な支持剛性にて起上台５１を支持することができる。【００６７】  この場合において、第１，第２の先端部側軸受部１８ａ，１９ａの軸部７０との当接面を切欠によって部分円弧状に形成し、先端カバー本体５５が脆弱部６３によって拡径方向に破壊された際には、軸部７０が第１，第２の先端部側軸受部１８ａ，１９ａから離間する方向に移動可能に形成することにより、先端部８から先端カバー５０を取り外す際に、軸部７０との干渉によって第１，第２の先端部側軸受部１８ａ，１９ａ等が破壊されることを防止できる。【００６８】  また、ガイドシース７５を介して操作ワイヤ７６を先端カバー５０（先端カバー本体５５）に接続することにより、操作ワイヤ７６よって回動される駆動軸や当該駆動軸をシールするためのシール部材等を内視鏡２に設ける必要がなく、内視鏡２の構造を簡素化することができるとともに、内視鏡２の洗浄を効率よく行うことができる。【００６９】  ここで、上述の実施形態においては、軸部７０が挿通された後のケース側軸受孔７１を充填剤７４によって封止した構成を一例として説明したが、例えば、図１４に示すように、充填剤７４による封止を廃止することも可能である。図１３は、先端カバー５０に対して軸部７０が固定され、起上台５１が軸部７０に対して回動自在に支持されている。一方、図１４は、軸部７０と起上台５１が固定され、先端カバー５０に対して軸部７０が回動自在に支持されている。図１３，図１４どちらの構成でも構わない。【００７０】  また、例えば、図１５，１６に示すように、先端構成部１５のレイアウト等に応じて、第１の先端部側軸受部１８ａ、或いは、第２の先端部側軸受部１９ａの何れか一方を適宜廃止することも可能である。【００７１】  また、上述の実施形態においては、挿入部５に併設されるガイドシース７５に操作ワイヤ７６を挿通した構成を一例として説明したが、例えば、図１７，１８に示すように、挿入部５の内部に操作ワイヤ７６を挿通した構成を採用することも可能である。【００７２】  次に、図１９乃至図２１を参照して本発明の第２の実施形態について説明する。なお、上述の第１の実施形態が、所謂側視型の内視鏡２に対して先端カバー装置３を適用した構成について説明したものであるのに対し、本実施形態は、挿入軸Ｏ方向に視野を有する所謂直視型の内視鏡２に対して先端カバーを適用した点が主として異なる。その他、上述の第１の実施形態と同様の構成については、��宜同符号を付して説明を省略する。【００７３】  図１９に示すように、本実施形態の先端構成部９５は、ベース部９６と、このベース部９６の先端から挿入軸Ｏ方向に突出する観察用突起部９７と、を有する。【００７４】  例えば、図１９に示すように、ベース部９６は、その概略形状が、円柱の略四分の一を切欠いた形状となるように形成されている。これにより、ベース部９６は、外周に、円弧面部９６ａと、第１の平面部９６ｂと、第１の平面部９６ｂに交差する第２の平面部９６ｃと、を有する。【００７５】  また、観察用突起部９７は、その概略形状が、ベース部９６と同軸上に配置した円柱の略半分を切欠いた形状（すなわち、略半円柱形状）となるように形成されている。これにより、観察用突起部９７は、外周に、円弧面部９７ａと、ベース部９６の第２の平面部９６ｃに平行な平面部９７ｂと、を有する。【００７６】  ベース部９６の端面には、観察用突起部９７の平面部９７ｂに隣接する位置に、処置具突出口２５が設けられている。【００７７】  観察用突起部９７の端面には、図示しない撮像ユニットの観察窓３２と、図示しない照明ユニットの照明窓３３と、観察窓３２に向けて送気或いは送水を行うためのノズル２９と、が設けられている。そして、このように観察窓３２が配置されることにより、本実施形態の内視鏡２は、挿入軸Ｏ方向に観察視野を有する所謂直視型の内視鏡となっている。【００７８】  このように先端構成部９５が構成された内視鏡２の先端部８に対しても、上述の第１の実施形態で示した構成と略同様の構成をなす先端カバー装置３を適用することが可能である。但し、本実施形態の先端カバー本体５５は、当該先端カバー本体５５の側部に代えて先端に、開口部９８が設けられている。【００７９】  また、本実施形態の起上台５１は、ガイド溝５１ａに代えてガイド孔５１ｄが設けられている。【００８０】  さらに、例えば、図１９，２１に示すように、本実施形態においては、先端構成部９５のベース部９６の端面に、先端部側軸受用突起９９が設けられ、この先端部側軸受用突起９９には、第３の先端部側軸受部９９ａが設けられている。【００８１】  ここで、本実施形態の第３の先端部側軸受部９９ａは、先端部側軸受用突起９９の下側の一部を切欠くことによって形成された部分円弧状の当接面を備えて構成されている。【００８２】  これにより、第３の先端部側軸受部９９ａは、先端部８に先端カバー本体５５が装着された際に、軸部７０の外周面のうち、起上台５１が起上する方向に対応した部分（すなわち、概ね軸部７０の上側の部分）に当接され、当該軸部７０を支持することが可能となっている。【００８３】  換言すれば、第３の先端部側軸受部９９ａは、起上台５１が起上する方向に回転動作したとき、軸部７０が起上台５１から受ける応力の方向に対応して設定されている。また、第３の先端部側軸受部９９ａの当接面は、先端部側軸受用突起９９の一部を切欠くことによって形成された部分円弧状の面であるため（すなわち、下方が開放された部分円弧状の面であるため）、先端カバー本体５５を拡径方向に破壊する際には、軸部７０を第３の先端部側軸受部９９ａから離間する方向に移動させることが可能となっている。【００８４���  次に、図２２乃至図２５を参照して本発明の第３の実施形態について説明する。【００８５】  なお、本実施形態はワイヤ機構部を内視鏡２に設けた構成である点が、及び、起上台の構成等が、上述の第１の実施形態に対して主として異なる。その他、上述の第１の実施形態と同様の構成については、適宜同符号を付して説明を省略する。【００８６】  図２２に示すように、先端構成部１５のベース部１６には、観察用突起部１７の第２の平面部１７ｃと略平行に対向する突出する隔壁１０１が設けられている。【００８７】  また、隔壁１０１の外面側（すなわち、第２の平面部１７ｃと対向しない面側）には、アームカバー１０２が液密に取り付けられ、この隔壁１０１とアームカバー１０２とによって形成されたアーム収容室１０３内に、アーム１０４が収容されている。【００８８】  また、図２５，２６に示すように、隔壁１０１には貫通孔１０１ａが設けられ、この貫通孔１０１ａには駆動軸１０５が回動自在に支持されている。なお、駆動軸１０５にはＯリング１０６が設けられ、このＯリング１０６により、隔壁１０１の貫通孔１０１ａと駆動軸１０５との間が液密にシールされている。【００８９】  この駆動軸１０５の一端はアーム収容室１０３内に突出され、アーム１０４の固定端側に連結されている。【００９０】  また、アーム収容室１０３内には、挿入部５内に挿通された操作ワイヤ７６の先端が導出され、この操作ワイヤ７６がアーム１０４の自由端側に連結されている。【００９１】  これにより、アーム１０４は、操作ワイヤ７６の進退移動に連動して駆動軸１０５を回動させることが可能となっている。【００９２】  また、駆動軸１０５の他端側は、隔壁１０１と観察用突起部１７との間に突出されている。この隔壁１０１から突出された駆動軸１０５の他端部は、複数の嵌合面（例えば、４つの嵌合面）を有する嵌合凸部１０５ａとして設定されている。【００９３】  図２３，２４に示すように、本実施形態の起上台５１の基端には、他側に突出する軸部材としての軸部５１ｅが一体形成されている。そして、この軸部５１ｅが先端カバー本体５５に支持されることにより、起上台５１は先端カバー本体５５に対して揺動可能（変位可能）に連結されている。【００９４】  すなわち、先端カバー本体５５の内部にはケース側軸受用突起７２が設けられ、このケース側軸受用突起７２に設けられたケース側軸受孔７２ｂに軸部５１ｅが支持されることにより、起上台５１は先端カバー本体５５に対して揺動可能に支持されている。【００９５】  また、起上台５１の一側には嵌合凸部１０５ａと嵌合可能な嵌合凹部５１ｆが、軸部５１ｅと同軸上に設けられている。【００９６】  そして、先端カバー本体５５が先端部８に装着される際に、嵌合凹部５１ｆに嵌合凸部１０５ａが嵌合されることにより（図２４，２６参照）、軸部５１ｅは、ケース側軸受孔７２ｂによる支持に加え、駆動軸１０５によっても支持される。このように、本実施形態において、駆動軸１０５は支持部としての機能を実現する。【００９７】  さらに、軸部５１ｅ（起上台５１）には、操作ワイヤ７６の進退移動に伴う駆動力が駆動軸１０５を介して伝達され、起上台５１は起上位置と倒置位置との間で揺動することが可能となっている。【００９８】  このような実施形態によれば、ワイヤ機構部を内視鏡２に設けた場合にも、上述の第１の実施形態と同様の作用効果を奏することができる。【００９９】  なお、本発明は、以上説明した各実施形態に限定されることなく、種々の変形や変更が可能であり、それらも本発明の技術的範囲内である。【０１００】  本出願は、２０１８年５月２１日に日本国に出願された特願２０１８−９６９５７号を優先権主張の基礎として出願するものであり、上記の開示内容は、本願明細書、請求の範囲に引用されるものとする。
【図１】
0006913244.tif 000002
【図２】
0006913244.tif 000003
【図３】
0006913244.tif 000004
【図４】
0006913244.tif 000005
【図５】
0006913244.tif 000006
【図６】
0006913244.tif 000007
【図７】
0006913244.tif 000008
【図８】
0006913244.tif 000009
【図９】
0006913244.tif 000010
【図１０】
0006913244.tif 000011
【図１１】
0006913244.tif 000012
【図１２】
0006913244.tif 000013
【図１３】
0006913244.tif 000014
【図１４】
0006913244.tif 000015
【図１５】
0006913244.tif 000016
【図１６】
0006913244.tif 000017
【図１７】
0006913244.tif 000018
【図１８】
0006913244.tif 000019
【図１９】
0006913244.tif 000020
【図２０】
0006913244.tif 000021
【図２１】
0006913244.tif 000022
【図２２】
0006913244.tif 000023
【図２３】
0006913244.tif 000024
【図２４】
0006913244.tif 000025
【図２５】
0006913244.tif 000026
【図２６】
0006913244.tif 000027